(57)【要約】【課題】調整時においてよりスムーズにその作動を行うことができる鏡筒を提供する。【解決手段】筒体１０とねじ山２０とを有する。筒体１０は両端の軸孔と外周壁１１とを貫通する軸方向を有し、軸孔は一組のレンズ９０を設置するために用いられる。外周壁１１は第１部分１１１と少なくとも一つの外周壁１１に沿って布設された第２部分１１２とを有する。ねじ山２０は第１部分１１１に成形され、少なくとも一部分のねじ山２０は少なくとも一周を取り囲む連続的なものである。また第２部分１１２は外周壁１１の中段または一端に近接する箇所に位置し、第２部分１１２により物体が螺接される際の摩擦力を減少させ、少なくとも一周を取り囲むねじ山２０によって作動時にスムーズとなるようにガイドできる。【選択図】図２
0003130183.tif 000002
【実用新案登録請求の範囲】
【請求項１】
一組のレンズを設置するために用いられる鏡筒において、
第１部分と少なくとも一つの第２部分とを有する外周壁を備える筒体と、
前記第１部分に成形され、少なくとも一部分が連続的に少なくとも一周を取り囲むねじ山と、
を備えることを特徴とする鏡筒。
【請求項２】
前記第２部分は前記筒体の一端縁に近接することを特徴とする請求項１に記載の鏡筒。
【請求項３】
前記第２部分は外周壁の中段箇所に位置することを特徴とする請求項１に記載の鏡筒。
【請求項４】
前記筒体はさらに軸孔を有し、その軸方向は前記筒体の両端を貫通することを特徴とする請求項1に記載の鏡筒。
【請求項５】
二つの第２部分を有することを特徴とする請求項１に記載の鏡筒。
【請求項６】
前記二つの第２部分は前記外周壁に沿って等距離に分布することを特徴とする請求項５に記載の鏡筒。
【請求項７】
三つの第２部分を有することを特徴とする請求項１に記載の鏡筒。
【請求項８】
前記三つの第２部分は前記外周壁に沿って等距離に分布することを特徴とする請求項７に記載の鏡筒。
【請求項９】
四つの第２部分を有することを特徴とする請求項１に記載の鏡筒。
【請求項１０】
前記四つの第２部分は前記外周壁に沿って等距離に分布することを特徴とする請求項９に記載の鏡筒。
【考案の詳細な説明】
【技術分野】
【０００１】
本考案は鏡筒に関し、特に精確な位置決めとスムーズな作動とを行わせることが可能な鏡筒に関する。
【背景技術】
【０００２】
図１が示すところによると、通常鏡筒はその筒体１の外周面において連続的な外ねじ山２を環設し、カメラのレンズホルダー内のねじ山（図示せず）と螺接させるために用いられ、前記筒体１によりレンズホルダーと螺接することで軸方向に向かって相対的な往復進退を行わせ、それにより前記筒体１のレンズと外部レンズまたはセンサー部品との間の焦点距離を調節し固定することができる。
【０００３】
上述した前記筒体１の外ねじ山２は前記筒体１の全外周面において全面にわたって連続的に環設されているが、前記筒体１の外ねじ山２は全外周面で前記レンズホルダーの内ねじ山部と接触しているため両者の間には相当大きな摩擦力が生じ、焦点距離を調整する際、使用者はより大きな付勢を行い筒体１とレンズホルダーとの間の進退動作を行う必要があり、これは使用者が焦点距離を調整する際の不便な点であった。
【０００４】
このほか、筒体がその外周面の外ねじ山で軸方向を貫いて接する平面であり、その平面により前記レンズホルダーとの間の接触面積を減少させ、摩擦力を低減し焦点距離の進退動作をよりスムーズに行わせるという鏡筒もあるが、このタイプの平面は筒体の軸方向外周面で貫くように接するためその外周面上の外ねじ山は全て前記平面によって切断され断続的に設けられた状態となり、筒体とレンズホルダーとの間で焦点距離の進退を調整する際、連続性のない外ねじ山によるガイド作用が加わることで作動がスムーズに行われず、位置決めが不精確となる欠点を生じていた。さらにこのタイプの軸方向に貫いて接する平面は感光し易いという欠点も有していた。
【考案の開示】
【考案が解決しようとする課題】
【０００５】
本考案の主な目的は、調整時においてよりスムーズにその作動を行うことができる鏡筒を提供することである。
【課題を解決するための手段】
【０００６】
上述の考案目的を達成するため、本考案が提供する鏡筒は筒体とねじ山とを有する。該筒体は両端の軸孔と外周壁とを貫通する軸方向を有し、該軸孔は一組のレンズを設置するために用いられる。前記外周壁は第１部分と少なくとも一つの該外周壁に沿って布設された第２部分とを有する。前記ねじ山は前記第１部分に成形され、少なくとも一部分の前記ねじ山は少なくとも一周を取り囲む連続的なものである。また前記第２部分は前記外周壁の中段または一端に近接する箇所に位置し、前記第２部分により物体が螺接される際の摩擦力を減少させ、少なくとも一周を取り囲むねじ山によって作動時にスムーズとなるようにガイドできる。
【考案を実施するための最良の形態】
【０００７】
さらに詳しく本考案の特徴および利点を説明するため、本考案におけるより好ましい実施の形態を挙げ、図面と併せて説明する。
図２および図３は本考案の第一実施例による鏡筒１００であり、一組のレンズ９０をその内部に設置するために用いられ、以下を有する。
筒体１０は外周壁１１と該筒体１０両端とを貫通する軸孔（図示せず）とを有し、前記外周壁１１は第１部分１１１と前記外周壁１１に沿って等距離に分布する二つの第２部分１１２とを有する。該第２部分１１２は前記筒体１０の一端縁（図３参照。前記各第２部分は前記筒体の上端縁に近接する）に近接し、前記軸孔は前記レンズ９０を収容するためのものである。
【０００８】
ねじ山２０は前記第１部分１１１に成形され、そのうち一部分の該ねじ山２０は連続的に多周に取り囲むような状態を呈している。また一部分の前記ねじ山２０は前記第２部分１１２の遮断を受け、螺旋状が断続された状態を呈している。
前記鏡筒１００のねじ山２０とレンズホルダーの内ねじ山（図示せず）とが螺合し連接する際、前記第２部分１１２はねじ山を成形していないため（前記第２部分は平らな弧状面を呈する）前記第２部分１１２と前記内ねじとの間は螺接関係が無いものとし、鏡筒１００とレンズホルダーとの間の摩擦力を低減し作動時において鏡筒１００がよりスムーズな動きを行えるようにする。さらに前記ねじ山２０によって少なくとも一部分が連続的に前記外周壁１１を一周することとなり、前記鏡筒１００の回転時においてレンズホルダーとの間に良好な螺旋ガイド効果を保持させ、その位置決めをより精確に行うことができる。そして前記ねじ山２０は少なくとも一部分が連続的に前記外周壁１１を取り囲むことで光源が前記第２部分１１２より漏出することを効果的に避けることが可能である。
【０００９】
図４および図５は本考案の第二実施例による鏡筒２００であり、一組のレンズ９０をその内部に設置するために用いられ、以下を有する。
筒体３０は外周壁３１と該筒体３０の両端とを貫通する軸孔（図示せず）とを有し、前記外周壁３１は第１部分３１１と前記外周壁３１に沿って等距離に分布する二つの第２部分３１２とを有する。該第２部分３１２は前記筒体３０の一端縁（図５参照。前記各第２部分は前記筒体の下端縁に近接する）に近接し、前記軸孔は前記レンズ９０を収容するためのものである。
【００１０】
ねじ山４０は前記第１部分３１１に成形され、そのうち一部分の該ねじ山４０は連続的に多周に取り囲むような状態を呈している。また一部分の前記ねじ山４０は前記第２部分３１２の遮断を受け、螺旋状が断続された状態を呈している。
本実施例における第２部分３１２と第一実施例における第２部分の位置は異なるが、その達成し得るところの効果は同一である。
【００１１】
図６および図７は本考案の第三実施例による鏡筒３００であり、一組のレンズ９０をその内部に設置するために用いられ、以下を有する。
筒体５０は外周壁５１と該筒体５０両端とを貫通する軸孔（図示せず）とを有し、前記外周壁５１は第１部分５１１と前記外周壁５１に沿って等距離に分布する二つの第２部分５１２とを有する。該第２部分５１２は外周壁５１の中段箇所（図７参照）に位置し、前記軸孔は前記レンズ９０を収容するためのものである。
【００１２】
ねじ山６０は前記第１部分５１１に成形され、そのうち一部分の該ねじ山６０は連続的に多周に取り囲むような状態を呈している。また一部分の前記ねじ山６０は前記第２部分５１２の遮断を受け、螺旋状が断続された状態を呈している。
本実施例における第２部分５１２と第一実施例及び第二実施例における第２部分の位置は異なるが、その達成し得るところの効果は同一である。
尚、上述の本考案の各実施例において二つの等距離に分布する第２部分を呈しているが、必要に応じて実際に単一または三つの等距離に分布、あるいは四つ以上の等距離に分布する第２部分を採用することが可能であり、同様に摩擦力の低減とスムーズな作動による効果を達成することができることをここで特に説明しておく。
【図面の簡単な説明】
【００１３】
【図１】従来の鏡筒の立体図である。
【図２】本考案の第一実施例による鏡筒の斜視図である。
【図３】本考案の第一実施例による鏡筒の側面図である。
【図４】本考案の第二実施例による鏡筒の斜視図である。
【図５】本考案の第二実施例による鏡筒の側面図である。
【図６】本考案の第三実施例による鏡筒の斜視図である。
【図７】本考案の第三実施例による鏡筒の側面図である。
【符号の説明】
【００１４】
１００：鏡筒、９０：レンズ、１０：筒体、１１：外周壁、１１１：第１部分、１１２：第２部分、２０：ねじ山、２００：鏡筒、３０：筒体、３１：外周壁、３１１：第１部分、３１２：第２部分、４０：ねじ山、３００：鏡筒、５０：筒体、５１：外周壁、５１１：第１部分、５１２：第２部分、６０：ねじ山
【図１】
0003130183.tif 000003
【図２】
0003130183.tif 000004
【図３】
0003130183.tif 000005
【図４】
0003130183.tif 000006
【図５】
0003130183.tif 000007
【図６】
0003130183.tif 000008
【図７】
0003130183.tif 000009